(57)【要約】【課題】内外圧力差に起因した剥離を防止して、強度低下を抑えることができるハニカムサンドイッチパネルを提供する。【解決手段】中空状をなす複数のセル２１が両端面に開口するハニカム構造のハニカムコア１１を、一対の板材１２，１３間に挟み込むようにして構成されるハニカムサンドイッチパネル１０において、隣接したセル２１同士を連通させる通気孔２３と、内面板１３をパネル厚さ方向に貫通し、セル２１と連通する空気逃げ孔１３ａと、空気逃げ孔１３ａをパネル厚さ方向外側から密閉するように内面板１３に設けられ、セル２１内の圧力と外気の圧力との間における内外圧力差の発生に伴って、パネル厚さ方向に伸縮する材料からなるシール部材１４とを備える。【選択図】図２
2018144324.tif 000002
【特許請求の範囲】
【請求項１】
中空状をなす複数のセルが両端面に開口するハニカム構造のコア部材を、一対の板材間に挟み込むようにして構成されるハニカムサンドイッチパネルにおいて、
隣接したセル同士を連通させる通気孔と、
前記板材をパネル厚さ方向に貫通し、前記セルの開口端部と連通する空気逃げ孔と、
前記空気逃げ孔をパネル厚さ方向外側から密閉するように前記板材に設けられ、前記セル内の圧力と外気の圧力との内外圧力差を緩和する材料からなるシール部材とを備える
ことを特徴とするハニカムサンドイッチパネル。
【請求項２】
請求項１に記載のハニカムサンドイッチパネルにおいて、
前記シール部材は、前記内外圧力差の発生に伴って、パネル厚さ方向に伸縮する材料からなる
ことを特徴とするハニカムサンドイッチパネル。
【請求項３】
請求項２に記載のハニカムサンドイッチパネルにおいて、
前記シール部材は、防水性を有する
ことを特徴とするハニカムサンドイッチパネル。
【請求項４】
請求項１に記載のハニカムサンドイッチパネルにおいて、
前記シール部材は、気体を通過し、液体を通過しない材料からなる
ことを特徴とするハニカムサンドイッチパネル。
【請求項５】
請求項１から請求項３のいずれか１つに記載のハニカムサンドイッチパネルを、舵面を形成する外板として使用した翼部材であって、
前記空気逃げ孔が形成された前記板材は、前記舵面を形成する板材とは、前記コア部材を挟んだ反対側に配置され、
前記シール部材は、前記内外圧力差の発生に伴って、前記舵面から遠ざかる方向に膨張する
ことを特徴とする翼部材。
【請求項６】
請求項４に記載のハニカムサンドイッチパネルを、舵面を形成する外板として使用した
ことを特徴とする翼部材。
【請求項７】
請求項５または請求項６に記載の翼部材を備えることを特徴とする航空機。
【発明の詳細な説明】
【技術分野】
【０００１】
本発明は、ハニカム構造をなすコア部材を一対の板材間に挟み込むようにして構成されるハニカムサンドイッチパネルに関する。
【背景技術】
【０００２】
近年、航空機や宇宙機における外板の補強構造として、ハニカムサンドイッチパネルが使用されている。このハニカムサンドイッチパネルは、軽量でありながら、曲げやせん断等に対して優れた強度を発揮するものであって、芯材となるハニカムコアを、一対の板材間に挟み込むようにして構成されている。
【０００３】
また、ハニカムコアは、中空状をなす複数のセルを蜂の巣状に配置するような、ハニカム構造をなしており、セルの両開口端部は、ハニカムコアの両端面にそれぞれ開口している。これにより、ハニカムコアを一対の板材間に挟み込むように構成すると、セルは、板材によって密閉されることになるが、これと同時に、セル内に空気が残ってしまう。
【０００４】
一方、ハニカムサンドイッチパネルを、高空や宇宙空間のような環境下で使用すると、外部圧力が内部圧力よりも低くなるため、内部圧力と外部圧力との間に、圧力差が生じてしまう。このとき、セル内に空気が残っている状態で、上記内外圧力差が大きくなり過ぎると、セル内に残留した空気の圧力によって、ハニカムコアと板材との間に、剥離が発生するおそれがある。
【０００５】
そこで、従来から、内外圧力差に起因した剥離を防止するようにしたハニカムサンドイッチパネルが、種々提供されている。そして、このような、従来のハニカムサンドイッチパネルについては、例えば、特許文献１に開示されている。
【先行技術文献】
【特許文献】
【０００６】
【特許文献１】特開２０１３−１３２７８１号公報
【発明の概要】
【発明が解決しようとする課題】
【０００７】
上記従来のハニカムサンドイッチパネルにおいては、ハニカムコアの内部とその外部とを連通する空気通路を設けることにより、セル内に残留した空気を、ハニカムコアの外部に逃がすようにしている。これにより、内外圧力差の発生を抑えて、ハニカムコアと板材との間に発生する剥離を防止するようにしている。
【０００８】
しかしながら、上記従来のハニカムサンドイッチパネルにおいては、ハニカムコアの内部とその外部とを連通させているため、セルの内部に異物が侵入してしまう。このように、セルの内部に異物が侵入すると、強度低下を招くおそれがある。
【０００９】
一方、空気通路からの異物の侵入を防止するために、サンドイッチパネルの側面を密閉したり、サンドイッチパネルを他の構造部材に取り付けたりすると、サンドイッチパネルの側端面の通気が妨げられることになり、内外圧力差の発生を抑えることができず、ハニカムコアと板材との間の剥離を防止することができなくなる。
【００１０】
従って、本発明は上記課題を解決するものであって、内外圧力差に起因した剥離を防止して、強度低下を抑えることができるハニカムサンドイッチパネルを提供することを目的とする。
【課題を解決するための手段】
【００１１】
上記課題を解決する第１の発明に係るハニカムサンドイッチパネルは、
中空状をなす複数のセルが両端面に開口するハニカム構造のコア部材を、一対の板材間に挟み込むようにして構成されるハニカムサンドイッチパネルにおいて、
隣接したセル同士を連通させる通気孔と、
前記板材をパネル厚さ方向に貫通し、前記セルの開口端部と連通する空気逃げ孔と、
前記空気逃げ孔をパネル厚さ方向外側から密閉するように前記板材に設けられ、前記セル内の圧力と外気の圧力との内外圧力差を緩和する材料からなるシール部材とを備える
ことを特徴とする。
【００１２】
上記課題を解決する第２の発明に係るハニカムサンドイッチパネルは、
第１の発明に係るハニカムサンドイッチパネルにおいて、
前記シール部材は、前記内外圧力差の発生に伴って、パネル厚さ方向に伸縮する材料からなる
ことを特徴とする。
【００１３】
上記課題を解決する第３の発明に係るハニカムサンドイッチパネルは、
第２の発明に係るハニカムサンドイッチパネルにおいて、
前記シール部材は、防水性を有する
ことを特徴とする。
【００１４】
上記課題を解決する第４の発明に係るハニカムサンドイッチパネルは、
第１の発明に係るハニカムサンドイッチパネルにおいて、
前記シール部材は、気体を通過し、液体を通過しない材料からなる
ことを特徴とする。
【００１５】
上記課題を解決する第５の発明に係る翼部材は、
第１から第３のいずれか１つの発明に係るハニカムサンドイッチパネルを、舵面を形成する外板として使用した翼部材であって、
前記空気逃げ孔が形成された前記板材は、前記舵面を形成する板材とは、前記コア部材を挟んだ反対側に配置され、
前記シール部材は、前記内外圧力差の発生に伴って、前記舵面から遠ざかる方向に膨張する
ことを特徴とする。
【００１６】
上記課題を解決する第６の発明に係る翼部材は、
第４の発明に係るハニカムサンドイッチパネルを、舵面を形成する外板として使用した
ことを特徴とする。
【００１７】
上記課題を解決する第７の発明に係る航空機は、
第５または第６の発明に係る翼部材を備えることを特徴とする。
【発明の効果】
【００１８】
従って、本発明に係るハニカムサンドイッチパネルによれば、板材に、セルと連通する空気逃げ孔を形成し、その空気逃げ孔を密閉すると共に内外圧力差を緩和する材料からなるシール部材を設け、このシール部材が、セル内の圧力と外気の圧力との内外圧力差を緩和することにより、内外圧力差に起因した剥離を防止して、強度低下を抑えることができる。
【図面の簡単な説明】
【００１９】
【図１】本発明の一実施例に係るハニカムサンドイッチパネルが適用される翼部材の断面図である。
【図２】本発明の一実施例に係るハニカムサンドイッチパネルの分解斜視図である。
【図３】図１の要部拡大図である。
【図４】シール部材が内外圧力差の発生に伴って膨張した状態を示した断面図である。
【図５】本発明の他の実施例に係るハニカムサンドイッチパネルの断面図である。
【図６】シール部材が未装着となるハニカムサンドイッチパネルの断面図である。
【発明を実施するための形態】
【００２０】
以下、本発明に係るハニカムサンドイッチパネルについて、図面を用いて詳細に説明する。
【実施例】
【００２１】
図１に示すように、航空機の翼部材（例えば、ラダー）１には、ハニカムサンドイッチパネル１０が、舵面（翼面）を形成する外板の補強構造として、使用されている。
【００２２】
図１乃至図３に示すように、上記ハニカムサンドイッチパネル１０は、芯材となるハニカムコア（コア部材）１１と、このハニカムコア１１の両端面（パネル厚さ方向の外側端面及び内側端面）に接合される一対の外面板（板材）１２及び内面板（板材）１３とから構成されている。
【００２３】
ハニカムコア１１は、例えば、アルミニウム合金や樹脂によって形成されている。また、外面板１２及び内面板１３は、例えば、繊維強化樹脂によって形成されており、強化繊維としては、炭素繊維やガラス繊維が採用されている。即ち、ハニカムサンドイッチパネル１０は、軽量となるハニカムコア１１を、高強度となる２枚の板１２，１３間に挟み込むようにした、積層構造を採用することにより、軽量で、且つ、高強度となるパネル部材となっている。
【００２４】
具体的に、ハニカムコア１１は、中空状をなす複数のセル２１を蜂の巣状に配置するような、ハニカム構造をなしている。セル２１は、断面が六角形をなしており、隔壁２２によって仕切られている。つまり、セル２１は、ハニカムコア１１の両端面をパネル厚さ方向に貫通しており、そのセル２１の両開口端部（パネル厚さ方向の外側開口端部及び内側開口端部）は、ハニカムコア１１の両端面にそれぞれ開口している。よって、ハニカムコア１１は、隔壁２２によって区画形成された複数のセル２１の平面的な集合体となるため、軽量でありながら、高い剛性を有している。
【００２５】
更に、隔壁２２のパネル厚さ方向中間部には、通気孔２３が開口されており、これらの通気孔２３は、隣接したセル２１同士を連通させている。これにより、セル２１内に存在する空気は、隣接したセル間２１を、通気孔２３を介して流通可能となっている。よって、各セル２１は、隔壁２２によって仕切られていても、当該隔壁２２に形成される通気孔２３によって、それらの内部の圧力が均一となっている。
【００２６】
そして、外面板１２の内側表面は、ハニカムコア１１の外側端面に、セル２１の外側開口端部を密閉するように接合されている。一方、外面板１２の外側表面は、ハニカムサンドイッチパネル１０の外側表面、即ち、翼部材１の外側表面となる舵面を形成している。
【００２７】
これに対して、内面板１３の内側表面は、ハニカムコア１１の内側端面に、セル２１の内側開口端部を密閉するように接合されている。一方、内面板１３の外側表面は、ハニカムサンドイッチパネル１０の内側表面、即ち、翼部材１の内側表面を形成している。
【００２８】
また、内面板１３には、矩形をなす空気逃げ孔１３ａが形成されている。この空気逃げ孔１３ａは、内面板１３をパネル厚さ方向に貫通しており、所定数量のセル２１の内側開口端部と連通している。そして、内面板１３の外側表面には、シール部材１４が空気逃げ孔１３ａを密閉するように貼り付けられている。これにより、空気逃げ孔１３ａ及び全てのセル２１は、外面板１２、内面板１３、及び、シール部材１４によって密閉されることになる。
【００２９】
ここで、シール部材１４は、伸縮性及び防水性を有する一方、通気性を有しない材料で形成されており、より詳細には、空気等の気体、水等の液体、小石や塵等の固体、虫等の小動物（以下、全てまとめて、異物と称す）を通過させない特性を有している。
【００３０】
よって、シール部材１４は、ハニカムサンドイッチパネル１０（セル２１）の内部圧力と、その外部圧力（外気の圧力）との間の内外圧力差の大きさに応じて、パネル厚さ方向に伸縮すると共に、ハニカムサンドイッチパネル１０の内部とその外部との間を遮断することができる。言い換えれば、シール部材１４は、ハニカムサンドイッチパネル１０の内外圧力差を、内面板１３の外側表面からパネル厚さ方向外側への膨張によって吸収しつつ、空気逃げ孔１３ａからハニカムサンドイッチパネル１０（セル２１）内への異物の侵入を防止することができる。
【００３１】
つまり、図３に示すように、セル２１内の圧力と外気の圧力との間に、内外圧力差が生じていない場合には、シール部材１４は、伸縮することなく、貼り付け当初の平板状態が保持されている。
【００３２】
また、ハニカムサンドイッチパネル１０を高空や宇宙空間等の環境下で使用する場合には、ハニカムサンドイッチパネル１０の外部圧力は、高度が上昇するのに従って下がっていき、当該ハニカムサンドイッチパネル１０の内部圧力よりも低くなる。この結果、ハニカムサンドイッチパネル１０の内部圧力とその外部圧力との間には、大きな内外圧力差が生じることになる。
【００３３】
このように、ハニカムサンドイッチパネル１０における内外圧力差が発生すると、セル２１内に残留した空気の圧力によって、ハニカムコア１１の外側端面と外面板１２の内側表面との間や、ハニカムコア１１の内側端面と内面板１３の内側表面との間に、剥離が生じるおそれがある。
【００３４】
これに対して、図４に示すように、本発明に係るハニカムサンドイッチパネル１０においては、内面板１３に形成した空気逃げ孔１３ａを、伸縮性を有するシール部材１４によって密閉することにより、シール部材１４を、内面板１３の外側表面からパネル厚さ方向外側に向けて膨張させることができるため、ハニカムサンドイッチパネル１０（セル２１）の体積を増加させることができる。
【００３５】
これにより、セル２１内の圧力と外気の圧力との間における内外圧力差の発生に伴って、セル２１内に残留した空気が膨張した場合であっても、その残留空気の膨張に応じて、シール部材１４がパネル厚さ方向外側に向けて膨張するため、残留空気の膨張分を、シール部材１４の膨張分によって吸収することができる。
【００３６】
即ち、セル２１内で膨張した空気の膨張分を、空気逃げ孔１３ａからシール部材１４側に逃がして、シール部材１４をパネル厚さ方向外側に向けて膨張させることにより、セル２１における内外圧力差を吸収して、内外圧力差を緩和することができる。この結果、ハニカムコア１１と外面板１２及び内面板１３との間に発生する剥離を、防止することができる。
【００３７】
その後、外気の圧力が徐々に上がるのに従って、シール部材１４もパネル厚さ方向内側に向けて徐々に収縮することになり、最終的に、セル２１内の圧力と外気の圧力とが同じ圧力になれば、シール部材１４は、更に収縮して、貼り付け当初の平板状態に戻ることになる。
【００３８】
また、シール部材１４は、膨張及び収縮する伸縮性を有するだけでなく、異物の通過を許容しない材料で形成されているため、空気逃げ孔１３ａを形成しても、セル２１の内部への異物の侵入を防止することができる。これにより、ハニカムサンドイッチパネル１０の強度低下を抑えることができる。
【００３９】
このとき、隣接したセル２１同士は、通気孔２３によって連通されているため、全てのセル２１間における空気の流動性は向上することになり、全てのセル２１内の圧力は、均一となる。このため、内面板１３に空気逃げ孔１３ａを形成する場合には、その空気逃げ孔１３ａが、少なくとも１つのセル２１の内側開口端部と連通していれば良く、空気逃げ孔１３ａの開口形状、開口面積、開口位置や、空気逃げ孔１３ａと連通するセル２１の数量については、想定される内外圧力差の大きさや、シール部材１４を形成する弾性材料の弾性係数等に応じて、適宜、設定可能となっている。
【００４０】
例えば、図５に示すように、内面板１３に複数の空気逃げ孔１３ａを形成し、シール部材１４を、それら全ての空気逃げ孔１３ａを覆うように設けるようにしても構わない。これにより、空気逃げ孔１３の開口面積を大きくすると共に、シール部材１４が膨張した際におけるハニカムサンドイッチパネル１０の体積増加率をより大きくすることができるので、外気の急激な圧力変動（内外圧力差の急激な変化）にも、即座に対応することができる。
【００４１】
更に、パネル製造時やパネル修理時においては、ハニカムサンドイッチパネル１０内を乾燥させる必要があるが、図６に示すように、ハニカムサンドイッチパネル１０を、シール部材１４を内面板１３に貼り付けない状態で加熱すれば、その内部から水分を蒸発させて、当該内部を容易に乾燥させることができる。
【００４２】
なお、上述した実施形態においては、本発明に係るハニカムサンドイッチパネル１０を、翼部材１の舵面を形成する外板に適用した場合について説明しているため、シール部材１４を、外気の抵抗とならないように、舵面を形成する外面板１２とはハニカムコア１１を挟んだ反対側に配置される内面板１３の外側表面に設け、その膨張方向を舵面から遠ざかる方向としている。これに対して、ハニカムサンドイッチパネル１０の使用状態によっては、シール部材１４を、外面板１２の外側表面及び内面板１３の外側表面の双方に設けたり、外面板１２の外側表面のみに設けたりしても構わない。即ち、シール部材１４を、外面板１２及び内面板１３のうち、少なくとも一方の板に設けるようにしても構わない。
【００４３】
また、空気逃げ孔１３ａからの異物の侵入を防止するために、ハニカムサンドイッチパネル１０の側端面を密閉しても構わない。例えば、ハニカムサンドイッチパネル１０の外部に接する隔壁２２には空気逃げ孔１３ａを設けない、あるいは、ハニカムサンドイッチパネル１０の側端面に通気性を有しない部材を設けることで、密閉すればよい。ハニカムサンドイッチパネル１０の側端面の通気が妨げられても、シール部材１４の伸縮により内外圧力差を吸収し、内外圧力差を緩和して、ハニカムコア１１と外面板１２及び内面板１３との間の剥離を防止することができる。
【００４４】
また、上述した通気性のないシール部材１４に代えて、気体を通過し、液体を通過しない防水通気性や防水透湿性がある材料、例えば、ゴアテックス（登録商標）などからなるシール部材を使用しても良い。このようなシール部材では、内外圧力差の発生に伴い、セル２１内と外気との間を通気することにより内外圧力差を低減し、内外圧力差を緩和して、ハニカムコア１１と外面板１２及び内面板１３との間の剥離を防止することができる。また、このようなシール部材は、液体は通過させないので、液体や固体の異物の侵入を防止することもでき、また、膨張しないので、設置場所の自由度も大きくなる。
【符号の説明】
【００４５】
１      翼部材
１０      ハニカムサンドイッチパネル
１１      ハニカムコア
１２      外面板
１３      内面板
１３ａ    空気逃げ孔
１４      シール部材
２１      セル
２２      隔壁
２３      通気孔
【図１】
2018144324.tif 000003
【図２】
2018144324.tif 000004
【図３】
2018144324.tif 000005
【図４】
2018144324.tif 000006
【図５】
2018144324.tif 000007
【図６】
2018144324.tif 000008